【手続補正書】
【提出日】平成19年4月17日(2007.4.17)
【手続補正１】
【補正対象書類名】明細書
【補正対象項目名】請求項１
【補正方法】変更
【補正の内容】
【請求項１】  ラスタ走査の画像信号を入力する入力手段と、前記入力手段によって入力された画像信号の複数ラインを同時化処理する同時化手段と、
上記同時化処理に用いられる遅延用の第１の記憶手段と、
上記同時化処理された画像信号を所定画素数から成るブロック画像に変換するブロック化手段と、
上記ブロック化処理に用いられる第２の記憶手段と、
第１のモードでは、上記同時化手段が上記第１の記憶手段のみを用いると共に上記ブロック化手段が上記第２の記憶手段のみを用い、第２のモードでは、上記同時化手段が上記第１の記憶手段と上記第２の記憶手段とを用いるように上記第１、第２の記憶手段の入出力を切り替える切り替え制御手段とを備えた画像処理装置。
【手続補正２】
【補正対象書類名】明細書
【補正対象項目名】請求項８
【補正方法】変更
【補正の内容】
【請求項８】  ラスタ走査の画像信号の複数ラインを第１の記憶手段を用いて同時化処理する同時化処理ステップと、
上記同時化処理された画像信号を第２の記憶手段を用いて所定画素数から成るブロックに変換するブロック化処理ステップと、
第１のモードでは、上記同時化処理が上記第１の記憶手段のみを用いると共に上記ブロック化処理が上記第２の記憶手段のみを用い、第２のモードでは、上記同時化処理が上記第１の記憶手段と上記第２の記憶手段とを用いるように上記第１、第２の記憶手段の入出力を切り替える切り替え制御ステップとを有することを特徴とする画像処理方法。
【手続補正３】
【補正対象書類名】明細書
【補正対象項目名】請求項９
【補正方法】変更
【補正の内容】
【請求項９】  入力されたラスタ走査された画像信号の複数ラインを第１の記憶手段を用いて同時化する同時化処理と、
上記同時化処理された画像信号を第２の記憶手段を用いて所定画素数から成るブロックに変換するブロック化処理と、
第１のモードでは、上記同時化処理が上記第１の記憶手段のみを用いると共に上記ブロック化処理が上記第２の記憶手段のみを用い、第２のモードでは、上記同時化処理が上記第１の記憶手段と上記第２の記憶手段とを用いるように上記第１、第２の記憶手段の入出力を切り替える切り替え制御処理とをコンピュータに実行させるためのプログラムを記憶したコンピュータ読み取り可能な記憶媒体。
【手続補正４】
【補正対象書類名】明細書
【補正対象項目名】０００２
【補正方法】変更
【補正の内容】
【０００２】
【従来の技術】
図４に従来のデジタルカメラの構成を示す。
図４において、レンズ１によって集光・結像させられた光束は、絞り・シャッタ２で適切な露光量とされ、ＣＣＤ３上に光学像を結像させる。入力手段である、このＣＣＤ３（撮像手段）は、図５に示すように画素毎にカラーフィルタが貼られており、ＲＧＢの色情報を含む画像情報を電気信号へ変換する。ＣＣＤ３によって電気信号に変換された画像信号は、ＣＤＳ／アンプ４により雑音が除去され、次段のＡ／Ｄ変換のために適切な信号レベルに増幅される。
【手続補正５】
【補正対象書類名】明細書
【補正対象項目名】０００３
【補正方法】変更
【補正の内容】
【０００３】
Ａ／Ｄコンバータ５により量子化された画像信号は、メモリ１８に書き込まれると同時に、切り替えスイッチ２４のａ側を経てクランプ回路６によってさらに雑音が除去され、ホワイトバランス（以下ＷＢ）回路７を通るが、この時はこの回路内部のホワイトバランス係数レジスタが初期値になっているため、ホワイトバランス処理は行われず、機能的にはバイパスされる。次に同時化手段である遅延線制御部８に入れられて、第１の記憶手段であるメモリ９〜１２を使用して垂直方向に５ライン分のデータを同時化する処理を行う。
【手続補正６】
【補正対象書類名】明細書
【補正対象項目名】０００８
【補正方法】変更
【補正の内容】
【０００８】
このようにして得られたＹＵＶ信号は、ブロック化手段であるラスタブロック変換制御部１７へ送られる。ここでは、第２の記憶手段である８ライン分のメモリ２３〜３０を用いて、ラスタ走査されるＹＵＶ信号を、水平８画素、垂直８画素計６４画素単位のブロック走査に並べ変える。この方法については、例えば特開平８−１８７９１号公報に開示されている。ブロック走査順に変換されたＹＵＶ信号は、圧縮手段であるＪＰＥＧ圧縮回路１９で圧縮され、メモリ２０へ書き込まれる。ＣＰＵ２１はこれを読み取り、フラッシュメモリカード２２へ記録することにより、デジタル画像を記録する（記録手段）。
【手続補正７】
【補正対象書類名】明細書
【補正対象項目名】００１５
【補正方法】変更
【補正の内容】
【００１５】
【課題を解決するための手段】
本発明による画像処理装置においては、ラスタ走査の画像信号を入力する入力手段と、上記入力手段によって入力された画像信号の複数ラインを同時化処理する同時化手段と、上記同時化処理に用いられる遅延用の第１の記憶手段と、上記同時化処理された画像信号を所定画素数から成るブロック画像に変換するブロック化手段と、上記ブロック化処理に用いられる第２の記憶手段と、第１のモードでは、上記同時化手段が上記第１の記憶手段のみを用いると共に上記ブロック化手段が上記第２の記憶手段のみを用い、第２のモードでは、上記同時化手段が上記第１の記憶手段と上記第２の記憶手段とを用いるように上記第１、第２の記憶手段の入出力を切り替える切り替え制御手段とを設けている。
【手続補正８】
【補正対象書類名】明細書
【補正対象項目名】００１６
【補正方法】変更
【補正の内容】
【００１６】
本発明による画像処理方法においては、ラスタ走査の画像信号の複数ラインを第１の記憶手段を用いて同時化処理する同時化ステップと、上記同時化処理された画像信号を第２の記憶手段を用いて所定画素数から成るブロックに変換するブロック化処理ステップと、第１のモードでは、上記同時化処理が上記第１の記憶手段のみを用いると共に上記ブロック化処理が上記第２の記憶手段のみを用い、第２のモードでは、上記同時化処理が上記第１の記憶手段と上記第２の記憶手段とを用いるように上記第１、第２の記憶手段の入出力を切り替える切り替え制御ステップとを設けている。
【手続補正９】
【補正対象書類名】明細書
【補正対象項目名】００１７
【補正方法】変更
【補正の内容】
【００１７】
本発明による記憶媒体においては、入力されたラスタ走査の画像信号の複数ラインを第１の記憶手段を用いて同時化する同時化処理と、上記同時化処理された画像信号を第２の記憶手段を用いて所定画素数から成るブロックに変換するブロック化処理と、第１のモードでは、上記同時化処理が上記第１の記憶手段のみを用いると共に上記ブロック化処理が上記第２の記憶手段のみを用い、第２のモードでは、上記同時化処理が上記第１の記憶手段と上記第２の記憶手段とを用いるように上記第１、第２の記憶手段の入出力を切り替える切り替え制御処理とをコンピュータに実行させるためのプログラムを記憶している。
【手続補正１０】
【補正対象書類名】明細書
【補正対象項目名】００１８
【補正方法】変更
【補正の内容】
【００１８】
【発明の実施の形態】
以下、本発明の実施の形態を図面と共に説明する。
図１は本発明による画像処理装置としてのデジタルカメラの実施の形態を示すもので、図４と対応する部分には同一符号を付して重複する説明は省略する。
図１において、ホワイトバランス積分処理動作及び遅延線制御部８の動作は、図４の従来例で説明した動作と略同様に行われるが、次の点で従来例と異なる。
【手続補正１１】
【補正対象書類名】明細書
【補正対象項目名】００１９
【補正方法】変更
【補正の内容】
【００１９】
すなわち、従来例と異なる点としては、本実施の形態では、遅延線制御部８から出力されるアドレス信号はラスタブロック変換用のメモリ２７〜３０へ切り替えスイッチ３９を経て与えられる。また、ＷＢ回路７から遅延線制御部８へ入力された信号は、第１の切り替え手段である切り替えスイッチ３１を経てラスタブロック変換用メモリ２７〜３０へも供給される。また、ラスタブロック変換用メモリ２７〜３０から読み出された信号は、ラスタブロック変換制御部１７のみならず、第２の切り替え手段である切り替えスイッチ３２〜３５を経て遅延線制御部８へも供給される。
【手続補正１２】
【補正対象書類名】明細書
【補正対象項目名】００２０
【補正方法】変更
【補正の内容】
【００２０】
ホワイトバランス積分処理時においては、制御手段であるＣＰＵ２１は「ＪＰＥＧ使用有無信号」（使用時：０、非使用時：１）として１を出力する。この１の出力はＡＮＤゲート３８に送られる。また、制御手段であるデコード回路３７は、遅延線制御部８が出力するアドレスが一定値以下、すなわち遅延線用メモリ容量以下の場合は、０を出力し、遅延線用メモリ容量以上のアドレス値を示す場合には１を出力する。これによりＡＮＤゲート３８が制御され、スイッチ３１〜３５、３９が制御される。そのため、遅延線制御部８が受け取る５ライン分に同時化されたデータは、そのアドレスが遅延線用メモリ容量以下の場合、すなわち画面の左側のときには遅延線メモリ９〜１２に記憶し読み出されたデータであり、また、アドレスが遅延線用メモリ容量以上の場合、すなわち画面の右側のときには遅延線用メモリ２７〜３０に記憶し読み出されたデータとなる。